(57)【特許請求の範囲】
【請求項１】
複数の開口部（５）が形成された薄肉の軽量の区画部品要素であって、金属からなる細長い区画本体（２）を有する区画部品要素において、
前記区画本体（２）が、少なくとも２つの別々に形成された縦材部（１０，１１）を含み、
前記縦材部（１０，１１）の各々が、蛇行長手方向縁部（１２，１３）を含み、
前記縦材部（１０，１１）の各々が、伸長部（１６，１７）と、前記伸長部（１６，１７）を超えて横方向に突出するとともに前記蛇行長手方向縁部（１２，１３）によって境界された複数の連結部（１４，１５，２３，２４，３７，３８，４５，４６，４７，４８）と、を含み、
一方の前記縦材部（１０）の前記連結部（１４，２３，３７，４５，４７）が、他方の前記縦材部（１１）の前記連結部（１５，２４，３８，４６，４８）と対向して、互いの端と端とが溶接され、
前記開口部（５）が、前記蛇行長手方向縁部（１２，１３）の一部によって少なくとも部分的に境界され、
前記縦材部（１０，１１）の長手方向に延在する補強ビード部（３１）と、該補強ビード部（３１）に対して横方向に延在する補強ビード部（３０）と、が前記縦材部（１０，１１）内に形成され、
前記横方向に延在する前記補強ビード部（３０）が、前記長手方向に延在する前記補強ビード部（３１）と連通しており、
前記横方向に延在する前記補強ビード部（３０）が、前記連結部（１４，１５，２３，２４，３７，３８，４５，４６，４７，４８）へと延在し、かつ、該連結部（１４，１５，２３，２４，３７，３８，４５，４６，４７，４８）の間の溶接線を超えて延在することを特徴とする薄肉の軽量の区画部品要素。
【請求項２】
前記２つの縦材部（１０，１１）の前記連結部（１４，１５，２３，２４，３７，３８，４５，４６，４７，４８）が、それぞれ、互いに隣接するとともに互いに平行に延在する連結端（２０，２１）を含むことを特徴とする請求項１に記載の薄肉の軽量の区画部品要素。
【請求項３】
前記連結端（２０，２１）が、前記縦材部（１０，１１）の前記長手方向に対して平行、垂直、または斜めに延在することを特徴とする請求項１または２に記載の薄肉の軽量の区画部品要素。
【請求項４】
前記連結部（１４，１５，２３，２４，３７，３８，４５，４６，４７，４８）が、Ｔ字状、ウェブ状、台形状、もしくは三角形状であり、または六角形の領域を含むことを特徴とする請求項１〜３のいずれかに記載の薄肉の軽量の区画部品要素。
【請求項５】
前記一方の前記縦材部（１０，１１）の前記連結部（１４，１５，２３，２４，３７，３８，４５，４６，４７，４８）の各々が、前記他方の前記縦材部（１０，１１）の前記連結部（１４，１５，２３，２４，３７，３８，４５，４６，４７，４８）の１つと、対向するように配置されることを特徴とする請求項１〜４のいずれかに記載の薄肉の軽量の区画部品要素。
【請求項６】
前記連結部（１４，１５，２３，２４，３７，３８，４５，４６，４７，４８）が、前記区画部品要素（１）の前記長手方向に互い違いに配置されることを特徴とする請求項１〜５のいずれかに記載の薄肉の軽量の区画部品要素。
【請求項７】
前記縦材部（１０，１１）が、０．５ｍｍ〜３ｍｍの厚さを有することを特徴とする請求項１〜６のいずれかに記載の薄肉の軽量の区画部品要素。
【請求項８】
前記連結部（１４，１５，２３，２４，３７，３８，４５，４６，４７，４８）の間の溶接連結部が、不連続な溶接線として形成されることを特徴とする請求項１〜７のいずれかに記載の薄肉の軽量の区画部品要素。
【請求項９】
一方の前記縦材部（１０，１１）に形成されるとともに前記長手方向に延在する前記補強ビード部（３１）と、他方の前記縦材部（１０，１１）に形成されるとともに前記長手方向に延在する前記補強ビード部（３１）と、が、一つもしくは複数の前記横方向に延在する前記補強ビード部（３０）を介して連結されることを特徴とする請求項１〜８のいずれかに記載の薄肉の軽量の区画部品要素。
【請求項１０】
前記長手方向に延在する前記補強ビード部（３１）が、前記縦材部（１０，１１）の各々の全長に亘って延在する、または、１回もしくは複数回断続することを特徴とする請求項１〜９のいずれかに記載の薄肉の軽量の区画部品要素。
【請求項１１】
前記開口部（５）が、折れ曲がった縁部を備えることを特徴とする請求項１〜１０のいずれかに記載の薄肉の軽量の区画部品要素。
【請求項１２】
複数の開口部（５）が形成された薄肉の軽量の区画部品要素であって、金属からなる細長い区画本体（２）を有する区画部品要素において、
前記区画本体（２）が、少なくとも２つの別々に形成された縦材部（１０，１１）を含み、
前記縦材部（１０，１１）の各々が、蛇行長手方向縁部（１２，１３）を含み、
前記縦材部（１０，１１）の各々が、伸長部（１６，１７）と、前記伸長部（１６，１７）を超えて横方向に突出するとともに前記蛇行長手方向縁部（１２，１３）によって境界された複数の連結部（１４，１５，２３，２４，３７，３８，４５，４６，４７，４８）と、を含み、
一方の前記縦材部（１０）の前記連結部（１４，２３，３７，４５，４７）が、他方の前記縦材部（１１）の前記連結部（１５，２４，３８，４６，４８）に、対向して連結されており、
前記開口部（５）が、前記蛇行長手方向縁部（１２，１３）の一部によって少なくとも部分的に境界され、
前記区画本体（２）の幅を広げるように、前記２つの縦材部（１０，１１）の前記連結部（１４，１５，２３，２４，３７，３８，４５，４６，４７，４８，５５）が、互いに前記縦材部（１０，１１）の長手方向に対して横方向に離間され、
一方の前記縦材部（１０，１１）の前記連結部（１４，１５，２３，２４，３７，３８，４５，４６，４７，４８，５５）と、他方の前記縦材部（１０，１１）の前記連結部（１４，１５，２３，２４，３７，３８，４５，４６，４７，４８，５５）と、を連結するように、２つの長手方向縁部（２８，２９）を有する細長い帯状の中間要素（２７）を、前記２つの縦材部の前記連結部（１４，１５，２３，２４，３７，３８，４５，４６，４７，４８，５５）の間の前記離間された間隔に配置し、
前記一方の縦材部（１０，１１）の連結部（１４，１５，２３，２４，３７，３８，４５，４６，４７，４８，５５）が、前記帯状の前記中間要素（２７）における一方の前記長手方向縁部（２８，２９）に連結され、前記他方の縦材部（１０，１１）の連結部（１４，１５，２３，２４，３７，３８，４５，４６，４７，４８，５５）が、他方の前記長手方向縁部（２８，２９）に連結され、
前記縦材部（１０，１１）の長手方向に延在する補強ビード部（３１）と、該補強ビード部（３１）に対して横方向に延在する補強ビード部（３０）と、が前記縦材部（１０，１１）内に形成され、
前記横方向に延在する前記補強ビード部（３０）が、前記長手方向に延在する前記補強ビード部（３１）と連通しており、
前記横方向に延在する前記補強ビード部（３０）が、前記連結部（１４，１５，２３，２４，３７，３８，４５，４６，４７，４８）および前記中間要素（２７）へと延在し、かつ、該連結部（１４，１５，２３，２４，３７，３８，４５，４６，４７，４８）と前記中間要素（２７）との間の連結端（２０，２１）を超えて延在することを特徴とする薄肉の軽量の区画部品要素。
【請求項１３】
前記連結部（１４，１５，２３，２４，３７，３８，４５，４６，４７，４８）と、前記中間要素（２７）と、の間の前記連結が、端と端とを接続するように行われている、または互いに重ね合わされるように行われていることを特徴とする請求項１２に記載の薄肉の軽量の区画部品要素。
【請求項１４】
前記中間要素（２７）の前記長手方向縁部（２８，２９）が、前記縦材部（１０，１１）の前記長手方向に対して平行に延在することを特徴とする請求項１２または１３に記載の薄肉の軽量の区画部品要素。
【請求項１５】
前記連結部（１４，１５，２３，２４，３７，３８，４５，４６，４７，４８）と、前記中間要素（２７）と、が部分的に重なって固定されている部分を有することを特徴とする請求項１２〜１４のいずれかに記載の薄肉の軽量の区画部品要素。
【請求項１６】
前記中間要素（２７）が、０．５ｍｍ〜３ｍｍの厚さを有することを特徴とする請求項１２〜１５のいずれかに記載の薄肉の軽量の区画部品要素。
【請求項１７】
前記中間要素（２７）が、前記縦材部（１０，１１）とは異なる材料から形成されることを特徴とする請求項１２〜１６のいずれかに記載の薄肉の軽量の区画部品要素。
【請求項１８】
前記中間要素（２７）が、ＰＶＣを含むプラスチックから製造され、前記縦材部（１０，１１）が、アルミニウムを含む金属から製造されることを特徴とする請求項１２〜１７のいずれかに記載の薄肉の軽量の区画部品要素。
【請求項１９】
薄肉の冷間成形された軽量の区画部品要素の製造方法であって、複数の開口部（５）が形成された、金属からなる細長い区画本体（２）を有する区画部品要素の製造方法において、
それぞれ、蛇行長手方向縁部（１２，１３）を有する２つの異なる縦材部（１０，１１）であって、伸長部（１６，１７）と、前記伸長部（１６，１７）を超えて横方向に突出するとともに前記蛇行長手方向縁部（１２，１３）によって境界された複数の連結部（１４，１５，２３，２４，３７，３８，４５，４６，４７，４８）と、を含んだ縦材部（１０，１１）を、前記区画本体（２）を製造するように提供し、
前記２つの縦材部（１０，１１）を、その長手方向に対して横方向に引き離し、
一方の前記縦材部（１０）の前記連結部（１４，２３，３７，４５，４７）と、他方の前記縦材部（１１）の前記連結部（１５，２４，３８，４６，４８）と、を端と端を接続するように溶接して、前記蛇行長手方向縁部（１２，１３）の一部の間に前記複数の開口部（５）を形成させ、
前記縦材部（１０，１１）の長手方向に延在する補強ビード部（３１）と、該補強ビード部（３１）に対して横方向に延在する補強ビード部（３０）と、を前記縦材部（１０，１１）内に形成させることであって、前記横方向に延在する前記補強ビード部（３０）が、前記長手方向に延在する前記補強ビード部（３１）と連通し、前記横方向に延在する前記補強ビード部（３０）が、前記連結部（１４，１５，２３，２４，３７，３８，４５，４６，４７，４８）へと延在し、かつ、該連結部（１４，１５，２３，２４，３７，３８，４５，４６，４７，４８）の間の溶接線を超えて延在するように形成させる、ことを特徴とする薄肉の冷間成形された軽量の区画部品要素の製造方法。
【請求項２０】
前記２つの縦材部（１０，１１）が、その長手方向に対して垂直または斜めに引き離されることを特徴とする請求項１９に記載の薄肉の冷間成形された軽量の区画部品要素の製造方法。
【請求項２１】
前記２つの縦材部（１０，１１）の前記長手方向に対して横方向の引き離しに加えて、前記２つの縦材部（１０，１１）が、前記長手方向に相互にずらされることを特徴とする請求項１９または２０に記載の薄肉の冷間成形された軽量の区画部品要素の製造方法。
【請求項２２】
前記２つの縦材部（１０，１１）を前記長手方向に相互にずらすことが、前記２つの縦材部（１０，１１）の前記長手方向に対して横方向への引き離しの前後、または該引き離しと同時に行われることを特徴とする請求項２１に記載の薄肉の冷間成形された軽量の区画部品要素の製造方法。
【請求項２３】
薄肉の冷間成形された軽量の区画部品要素の製造方法であって、複数の開口部（５）が形成された、金属からなる細長い区画本体（２）を有する区画部品要素の製造方法において、
それぞれ、蛇行長手方向縁部（１２，１３）を有する少なくとも２つの異なる縦材部（１０，１０´，１１，１１´）であって、伸長部（１６，１７）と、前記伸長部（１６，１７）を超えて横方向に突出するとともに前記蛇行長手方向縁部（１２，１３）によって境界された複数の連結部（１４，１５）と、を含んだ縦材部（１０，１０´，１１，１１´）を、前記区画本体（２）を製造するように提供し、
前記２つの縦材部（１０，１０´，１１，１１´）が互いに面接触し、かつ、一方の前記縦材部（１０，１０´，１１，１１´）の前記連結部（１４，１５）における前記長手方向に延在する連結端（５７）の各々が、他方の前記縦材部（１０，１０´，１１，１１´）の前記連結部（１４，１５）における前記長手方向に延在する連結端（５７）の各々と接するように、前記２つの縦材部（１０，１０´，１１，１１´）を配置し、
一方の前記縦材部（１０，１１）の前記連結端（５７）を、他方の前記縦材部（１０´，１１´）の前記連結端（５７）に連結するように溶接し、
前記２つの異なる縦材部（１０，１０´，１１，１１´）の前記蛇行長手方向縁部（１２，１３）の一部の間に前記複数の開口部（５）を形成させるように、前記２つの縦材部の一方（１０，１１）を、前記他方の縦材部（１０´，１１´）に対して前記溶接された前記連結端（５７）を中心として展開し、
前記縦材部（１０，１０´，１１，１１´）の長手方向に延在する補強ビード部（３１）と、該補強ビード部（３１）に対して横方向に延在する補強ビード部（３０）と、を前記縦材部（１０，１０´，１１，１１´）内に形成させることであって、前記横方向に延在する前記補強ビード部（３０）が、前記長手方向に延在する前記補強ビード部（３１）と連通し、前記横方向に延在する前記補強ビード部（３０）が、前記連結部（１４，１５）へと延在し、かつ、該連結部（１４，１５）の間の溶接線を超えて延在するように形成させる、ことを特徴とする薄肉の冷間成形された軽量の区画部品要素の製造方法。
【請求項２４】
少なくとも一つの蛇行スリット（９）が、少なくとも一つの細長い帯状の出発材料（６）の長手方向に延在するように設けられて、この出発材料（６）を少なくとも２つの異なる縦材部（１０，１１）に分割することを特徴とする請求項１９〜２３のいずれかに記載の薄肉の冷間成形された軽量の区画部品要素の製造方法。
【請求項２５】
前記連結部（１４，１５，２３，２４，３７，３８，４５，４６，４７，４８）が、レーザ溶接により互いに連結されることを特徴とする請求項１９〜２４のいずれかに記載の薄肉の冷間成形された軽量の区画部品要素の製造方法。
【請求項２６】
薄肉の冷間成形された軽量の区画部品要素の製造方法であって、複数の開口部（５）が形成された、金属からなる細長い区画本体（２）を有する区画部品要素の製造方法において、
それぞれ、蛇行長手方向縁部（１２，１３）を有する２つの異なる縦材部（１０，１１）であって、伸長部（１６，１７）と、前記伸長部（１６，１７）を超えて横方向に突出するとともに前記蛇行長手方向縁部（１２，１３）によって境界された複数の連結部（１４，１５，２３，２４，３７，３８，４５，４６，４７，４８）と、を含んだ縦材部（１０，１１）を、前記区画本体（２）を製造するように提供し、
前記２つの縦材部（１０，１１）を、その長手方向に対して横方向に引き離し、
一方の前記縦材部（１０）の前記連結部（１４，２３，３７，４５，４７）を、他方の前記縦材部（１１）の前記連結部（１５，２４，３８，４６，４８）に連結して、前記蛇行長手方向縁部（１２，１３）の一部の間に前記複数の開口部（５）を形成させ、
前記区画本体（２）の幅を広げるように、前記連結部（１４，１５，２３，２４，３７，３８，４５，４６，４７，４８）の間に間隔が生じるまで前記縦材部（１０，１１）を前記長手方向に対して横方向に引き離し、
２つの長手方向縁部（２８，２９）を有する細長い帯状の中間要素（２７）を、前記間隔が設けられた前記連結部（１４，１５，２３，２４，３７，３８，４５，４６，４７，４８）の間に配置し、
前記一方の縦材部（１０，１１）の前記連結部（１４，１５，２３，２４，３７，３８，４５，４６，４７，４８）を、前記帯状の中間要素（２７）における一方の前記長手方向縁部（２８，２９）に、かつ、前記他方の縦材部（１０，１１）の前記連結部（１４，１５，２３，２４，３７，３８，４５，４６，４７，４８）を、他方の前記長手方向縁部（２８，２９）に、それぞれ、端と端とを接続するように、または互いに重ね合わせるように連結させ、
前記縦材部（１０，１１）の長手方向に延在する補強ビード部（３１）と、該補強ビード部（３１）に対して横方向に延在する補強ビード部（３０）と、を前記縦材部（１０，１１）内に形成させることであって、前記横方向に延在する前記補強ビード部（３０）が、前記長手方向に延在する前記補強ビード部（３１）と連通し、前記横方向に延在する前記補強ビード部（３０）が、前記連結部（１４，１５，２３，２４，３７，３８，４５，４６，４７，４８）および前記中間要素（２７）へと延在し、かつ、該連結部（１４，１５，２３，２４，３７，３８，４５，４６，４７，４８）と前記中間要素（２７）との間の連結端（２０，２１）を超えて延在するように形成させる、ことを特徴とする薄肉の冷間成形された軽量の区画部品要素の製造方法。
【請求項２７】
前記連結部（１４，１５，２３，２４，３７，３８，４５，４６，４７，４８）が、前記帯状の中間要素（２７）と部分的に重ね合わされ、その重ね合わされた部分をクリンチングもしくはクリンピングなどの圧縮接合処理、クランピング、絞り、プレス、溶接、ねじ留め、ボンド接合、リベット締め、折り曲げ、もしくはプラグ接続することにより、該連結部（１４，１５，２３，２４，３７，３８，４５，４６，４７，４８）が、前記中間要素（２７）に連結されることを特徴とする請求項２６に記載の薄肉の冷間成形された軽量の区画部品要素の製造方法。
【請求項２８】
前記開口部（５）の境をなす前記区画本体（２）の材料が、深絞り加工されることを特徴とする請求項１９〜２７のいずれかに記載の薄肉の冷間成形された軽量の区画部品要素の製造方法。
【発明の詳細な説明】
【技術分野】
【０００１】
本発明は、薄肉の冷間成形された軽量の区画部品要素（ｓｅｃｔｉｏｎａｌ  ｅｌｅｍｅｎｔ）に関し、特に複数の開口部が形成された特に金属もしくはプラスチックを備えた細長い区画本体を有する、特に乾式構造部、建物の正面部、漆喰部、基部、スクリード部、タイル部、ケーブル保持部、あるいはフレームレール部、もしくは排水レール部に関する。さらに本発明は、こうした薄肉の冷間成形された区画部品要素の製造方法に関する。
【背景技術】
【０００２】
この種の薄肉の冷間成形された区画部品要素は、例えば乾式構造のＣ形直立部分として使用されており、区画部品要素の区画本体に設けられた開口部は、例えば配管もしくはその他の中空体を通すだけでなく、ケーブル、線、もしくはその他の細長いバンド状もしくはロープ状の要素のための貫通開口部としての役割を果たす。さらにこれらの開口部はまた、通風、または断熱材などの充填剤を通すのに役立つ。
【発明の概要】
【発明が解決しようとする課題】
【０００３】
公知の薄肉の冷間成形された区画部品要素では、その開口部は例えば穴抜き処理によって設けられる。これは打ち抜かれた材料が廃材となる点で不都合であり、それによりこうした薄肉の冷間成形された区画部品要素の製造コストが増大する。
【課題を解決するための手段】
【０００４】
本発明の目的は、簡単かつ安価に製造することができ、材料量が低減された上記の薄肉の冷間成形された区画部品要素を提供することである。
【０００５】
さらに、こうした薄肉の冷間成形された区画部品要素の製造方法が提供される。
【０００６】
冒頭の薄肉の冷間成形された区画部品要素を根幹として、この区画部品要素に関連する目的は、区画本体が、少なくとも２つの別々に形成された長手部（ｌｏｎｇｉｔｕｄｉｎａｌ  ｐｏｒｔｉｏｎ）を含み、長手部の各々が、蛇行長手方向縁部を含み、その長手部の各々が、伸長部（ｅｌｏｎｇａｔｅｄ  ｐｏｒｔｉｏｎ）と、該伸長部を超えて横方向に突出するとともに前記蛇行長手方向縁部によって境界された複数の連結部と、を含み、一方の長手部の連結部が、他方の長手部の連結部と対向して、互いの端と端とが溶接され、もしくは、折曲合端部（ｂｅｎｔ−ｏｖｅｒ  ａｂｕｔｍｅｎｔ  ｅｄｇｅ）に沿って互いに連結されており、開口部が、前記蛇行長手方向縁部の一部によって少なくとも部分的に境界され、前記長手部の長手方向に延在する補強ビード部と、それらの補強ビード部に対して横方向に延在する補強ビード部と、が前記長手部内に形成され、前記横方向に延在する補強ビード部が、前記長手方向に延在する補強ビード部と連通しており、前記横方向に延在する補強ビード部が、前記連結部へと延在することを特徴とする区画部品要素によって達成される。
【０００７】
この方法に関連する目的の一部は、冒頭の方法を根幹として、プロファイル本体（ｐｒｏｆｉｌｅ  ｂｏｄｙ）を製造するように、それぞれ、蛇行長手方向縁部を有する２つの異なる長手部であって、伸長部と、前記伸長部を超えて横方向に突出するとともに前記蛇行長手方向縁部によって境界された複数の連結部と、を含んだ長手部を提供し、それらの２つの長手部を、その長手方向範囲に対して横方向に引き離し（ｍｏｖｅｄ  ａｐａｒｔ）、一方の長手部の連結部と、他方の長手部の連結部と、を端と端を接続するように溶接して、蛇行長手方向縁部の一部の間に複数の開口部を形成させ、前記長手部の長手方向に延在する補強ビード部と、それらの補強ビード部に対して横方向に延在する補強ビード部と、を前記長手部内に形成させることであって、前記横方向に延在する補強ビード部が、前記長手方向に延在する補強ビード部と連通し、前記横方向に延在する補強ビード部が、前記連結部へと延在するように形成させる、ことによって達成される。
【０００８】
本発明によれば、区画本体の開口部の製造時に廃材が生じず、例えば穴抜きによる製造に関しての材料が節約される。換言すれば、２つの別々に作られた長手部の引き離しにより、同じ材料量で、区画部品要素のより広範囲な設計が実現される。２つの長手部の伸長部に亘ってそれぞれ横方向に延在する連結部により、長手部をその長手方向に対して横方向に引き離すことが可能であり、その引き離しにもかかわらず２つの長手部を連結することが可能であり、それにより当初の材料部の幅よりも根本的に広い幅が得られる。この点について、用語「横方向」とは、区画部品要素または長手部の長手方向だけには延在しないあらゆる方向として理解されたい。したがって用語「横方向」は、特に区画部品要素または長手部の長手方向範囲に対して垂直または斜め方向を意味する。連結部はさらに端と端とを互いに溶接され、または、折曲合端部に沿って互いに連結されて、そこには大きな重複部分はなく、寧ろ実質的に２つの長手部の間に端部の連結部が存在する。それにより理想的な材料の利用が実現される。本発明に従って配置されて相互に連結された補強ビード部により、開口部により脆弱となる区画部品要素の部位に対して直接補強が行われ、それにより区画部品要素の剛性が公知の区画部品要素と同等の品質を有するもしくはそれ以上の品質に向上されることが、理想的に保証される。本発明によって製造された区画部品要素のねじり強度およびたわみ強度が、補強ビード部によって特に向上される。
【０００９】
またこの方法に関連する目的の一部は、冒頭の方法を根幹として、区画本体を製造するように、それぞれ、蛇行長手方向縁部を有する少なくとも２つの異なる長手部であって、伸長部と、前記伸長部を超えて横方向に突出するとともに前記蛇行長手方向縁部によって境界された複数の連結部と、を含んだ長手部を、提供し、その２つの長手部が互いに面接触し、かつ、その一方の長手部の連結部における長手方向に延在する連結端の各々が、他方の長手部の連結部における長手方向に延在する連結端の各々と直接連結するように、その２つの長手部を配置し、その一方の長手部の連結部を、他方の長手部の連結部に連結、特に、溶接し、前記連結部が折曲合端部に沿って相互に連結され、かつ、前記蛇行長手方向縁部の一部の間に複数の開口部を形成させるように、前記２つの長手部の一方を、他方の長手部に対して前記連結端を中心として展開（ｐｉｖｏｔｅｄ）し、前記長手部の長手方向に延在する補強ビード部と、それらの補強ビード部に対して横方向に延在する複数の補強ビード部と、を長手部内に形成させることであって、前記横方向に延在する補強ビード部が、前記長手方向に延在する補強ビード部と連通し、かつ、前記横方向に延在する補強ビード部が、前記連結部へと延在するように形成させる、ことによって達成される。
【００１０】
本発明の有利な実施例によれば、２つの長手部の連結部は、それぞれ、互いに隣接するとともに実質的に互いに平行に延在する連結端、もしくは、折曲合端部を含む。長手部は最終的にはそれらの連結端もしくは折曲合端部を介して互いに連結される。この点について、連結端は、好ましくは長手部の長手方向範囲に対して実質的に平行、垂直、または例えば４５°の角度などの斜め方向に延在し、折曲合端部は、長手部の長手方向範囲に対して平行に延在する。
【００１１】
本発明のさらに有利な実施例によれば、連結部は、Ｔ字状、ウェブ状、台形状、もしくは三角形状であり、あるいは六角形の領域を含む。例えば剛性などの、区画部品要素の予め設定された特性は連結部の対応する設計によって左右される。さらに、連結部の選択された形状により、本明細書に詳述するように、２つの長手部における異なる種類の連結が可能となる。
【００１２】
一方の長手部の連結部の各々は、好ましくは他方の長手部の連結部の一つと対向するように配置される。代替的にまたは付加的に、連結部が区画部品要素の長手方向に互い違いに配置されるように設けられてもよい。区画部品要素における最終的な連結部の配置は同様に異なる連結の種類に依存し、同様に本明細書で後述する。
【００１３】
長手部は有利には約０．５ｍｍ〜３ｍｍの厚さを有する。したがって本発明の区画部品要素は、種々の方法で用いられる軽量の部品である。例えば、冒頭での用途に加えて、本発明は、自動車産業部門、スイッチキャビネット構造、被覆システム、あるいはつる植物の支持体もしくはワインポストとしての用途も考えられる。
【００１４】
連結部の間の溶接接続は、有利には不連続なレーザ溶接線として形成される。レーザ溶接線としての設計により、特に開口部によって脆弱となる区画部品要素の中央領域に、より優れた強度が実現される。レーザ溶接線は通常の溶接接続に対して横方向に低減された範囲に形成される。その低減された範囲、およびその結果非常に小さい空間に生じる熱の集中により、レーザ溶接時に融解した区画部品要素の領域が冷却された後、非常に優れた硬度がもたらされる。さらに、端と端とを相互に連結する連結端の間のまさに中心部のレーザ溶接により継目が生じ、区画部品要素の隣接領域は溶接処理によって損なわれず、さらに２つの長手部の間に非常に滑らかな移行部がもたらされる。
【００１５】
さらに有利な実施例によれば、補強ビード部の少なくとも一部が連結部の間の溶接線を超えて延在する。それにより溶接接続の付加的な補強が達成される。
【００１６】
一方の長手部に形成されるとともに長手方向に延在する補強ビード部は、好ましくは、他方の長手部に形成されるとともに長手方向に延在する補強ビード部に、一つまたは複数の横方向に延在する補強ビード部を介して連結される。それにより補強ビード部は、開口部を完全に包囲したある種のはしご状構造を形成する。その結果、開口部により脆弱化した領域における区画部品要素の剛性が、ひずみを最適化するように特に向上される。
【００１７】
長手方向に延在する補強ビード部は、有利には各々の長手部の全長に亘って延在する。その結果、区画部品要素の全長に亘って均一に向上された剛性が達成される。所望の剛性が維持されるのであれば、概ね、長手方向に延在する補強ビード部が１回もしくは複数回断続してもよい。
【００１８】
開口部の境をなす区画本体の材料は、特に深絞り（ｄｅｅｐ  ｄｒａｗｎ）される。それにより区画部品要素の剛性が、特に開口部の脆弱化した領域において向上される。開口部の境をなす区画本体の縁部は有利には折り曲げられ、特にフランジ縁部として形成される。
【００１９】
別の実施例では、一方の長手部の連結部を、他方の長手部の連結部に、それらの長手部の間に配置された中間要素を介して連結することも可能であり、それらの長手部の間に間接的な連結がもたらされる。この点について、それらの連結要素と、中間要素と、の間の連結は、端と端とを接続するように行われる、または互いにオーバーラップするように行われる。この点について、中間要素は好ましくは細長い帯状の要素として製造される。この点について、中間要素は特に長手部の厚さと同様の厚さを有する。
【００２０】
本発明の更に有利な実施例によれば、中間要素は、長手部の長手方向範囲に実質的に平行に延在する長手方向縁部を有する。これにより、連結要素の連結端と、中間要素の長手方向縁部との単純な連結が可能である。
【００２１】
連結部は好ましくは、クリンチングもしくはクリンピングなどの圧縮接合処理、クランピング、絞り、プレス、溶接、ねじ留め、ボンド接合、リベット締め、折り曲げ、もしくはプラグ接続により、中間要素に連結される。また溶接接続は、特に有利には、ここでは上述の利点を有するレーザ溶接連結部として形成される。
【００２２】
また中間要素は有利には、約０．５ｍｍ〜３ｍｍの厚さを有する。
【００２３】
本発明の更に有利な実施例によれば、中間要素が長手部とは異なる材料から形成される。中間要素は、プラスチック、特にＰＶＣから製造され、長手部は、金属、特にアルミニウムから製造される。プラスチックの利用により、一方では、区画部品全体の重量がさらに軽減され、他方では、優れた熱絶縁性が得られる。さらに、プラスチックの利用によりコストが低減される。
【００２４】
分離された長手部は、既に初めから別々の材料部から製造してもよい。例えばそれらは同一もしくは異なる材料厚さを有してもよく、また同一もしくは異なる材料を備えてもよい。
【００２５】
分離された長手部は、有利には初めから均一の材料部から製造してもよい。この場合、出発材料の長手方向範囲に延在するとともに、出発材料を２つの異なる長手部に分離する少なくとも一つの蛇行スリットが、細長い帯状の出発材料に導入される。また、少なくとも２つの帯状の材料部を互いに面接触するように配置し、切削工程では、一度の工程で少なくとも４つの長手部を製造するように、２つの材料部の両方を貫通する蛇行スリットを導入することも可能である。例えばそれらの材料部の２つが連結されてプロファイル本体を形成する。
【００２６】
長手部は、有利にはその長手方向の範囲に対して実質的に垂直に引き離される。一方、引き離しは、概ね、長手部の長手方向範囲に対して斜めの方向も考えられる。
【００２７】
通常、特に連結部の形状に基づき、長手部の連結は、その長手部の長手方向範囲に対して横方向の引き離しの直後に行われるが、本発明の更なる実施例では、その２つの長手部の長手方向範囲に対して横方向の引き離しに加えて、２つの長手部が、実質的に長手方向に相互にずらされる。この点について、その長手部を長手方向に相互にずらすことは、２つの長手部の長手方向範囲に対して横方向への引き離しの前後、もしくはその引き離しと同時に行われる。このように長手方向にずらすことは、例えば、対向するように配置された２つの長手部の連結部を連結させるように、その２つの対向するように配置された連結部の複数の連結端を接触させるために必要である。
【００２８】
通常、一方の長手部の連結部は、他方の長手部の連結部に対し、特に端と端を接続させることにより、またはオーバーラップさせることにより連結される。一方、更なる実施例では、２つの長手部の間に間隔が生じるまでそれらの長手部を引き離し、それらの間隔が設けられた長手部の間に、特に細長い帯状の中間要素を配置し、それら２つの長手部の連結部を、その中間要素に対し、特に端と端とを接続するように、またはオーバーラップするように連結させることも可能である。このように区画部品要素に更に広い幅がもたらされる。
【００２９】
実施例および図面を参照しながら本発明を以下に詳述する。
【図面の簡単な説明】
【００３０】
【図１】本発明によって製造された区画部品要素の概略斜視図。
【図２−４】図１の本発明によって製造された区画部品要素の製造における切削パターンおよび異なる中間ステップを示す図。
【図５】本発明の更なる実施例を製造するための切削パターンを有する材料部を示す図。
【図６−７】図５の切削パターンに基づく２つの異なる実施例を示す図。
【図８−９】図２に示す切削パターンに基づく区画部品要素を製造する２つの中間状態を示す図。
【図１０】本発明の更なる実施例を示す図。
【図１１】本発明の一部を示す図。
【図１２】本発明の更なる実施例を示す図。
【図１３】本発明の更なる実施例を示す図。
【図１４】本発明の更なる実施例を示す図。
【図１５】本発明の更なる実施例を示す図。
【図１６】本発明の更なる実施例を示す図。
【図１７】フレーム構造における図１２および図１４の実施例を示す図。
【図１８】本発明の更なる実施例を示す図。
【図１９】本発明の更なる実施例を示す図。
【図２０】本発明の更に可能な実施例を示す図。
【図２１】本発明の更なる方法に従って区画部品要素を製造するように互いに対して上に配置した２つの材料部の斜視図。
【図２２】区画部品要素の製造における中間ステップを示す図。
【図２３】２つの長手部の展開後の区画部品要素を示す図。
【発明を実施するための形態】
【００３１】
図１はＣ形の区画として形成された区画部品要素１を示す。区画部品要素１は、区画ウェブ３と、区画ウェブの横方向に隣接するとともに、それぞれ、区画ウェブ３に対して直角をなす２つの区画リム４と、を有する区画本体２を含む。次いで区画リム４の長手方向自由端がそれぞれ９０°の角をなしてＣ形の区画を形成する。概して本発明の区画部品要素１は、例えば、Ｕ形の断面（Ｕ  ｓｅｃｔｉｏｎ）、Ｌ形の断面（Ｌ  ｓｅｃｔｉｏｎ）、Ｔ形の断面（Ｔ  ｓｅｃｔｉｏｎ）、Ｈ形の断面（Ｈ  ｓｅｃｔｉｏｎ）、ハット形の断面（ｈａｔ  ｓｅｃｔｉｏｎ）もしくはＺ形の断面（Ｚ  ｓｅｃｔｉｏｎ）としても形成される。
【００３２】
複数の開口部５が区画ウェブ３内に設けられ、これらの開口部は、例えば、ケーブルもしくはその他の導通要素の通路開口部としての役割を果たす。
【００３３】
区画部品要素１の開口部５は、図２〜４を参照しながら以下に詳述するように、本発明により材料損失することなく製造される。
【００３４】
図２は区画本体２の出発材料としての役割を果たす、例えば板金ストリップ部などの、材料ストリップ部６を示す。図２〜４では、いずれの場合にも、最終的に区画ウェブ３を形成するように用いられる材料ストリップ部６のただ１つの相対的に狭い領域のみを示すが、いずれの場合においても、更なる材料領域が材料ストリップ部６の外縁７，８に隣接しており、例えば、その更なる材料領域の対応する折り曲げにより、区画リム４が形成された状態で隣接する。
【００３５】
材料ストリップ部６の長手方向の範囲に延在するとともに、材料ストリップ部６、延いては区画本体２を２つの別々の長手部１０，１１に分離する蛇行スリット９が、材料ストリップ部６に形成される。長手部１０，１１には、それぞれ蛇行スリット９により蛇行長手方向縁部１２，１３が与えられて、図２に示すように互いにシームレスに連結する。蛇行長手方向縁部１２，１３はそれぞれ長手方向に延在するとともに長手方向に対して垂直に延在する縁部を含む。
【００３６】
長手部１０，１１のウェブ状の連結部１４，１５はそれぞれ蛇行長手方向縁部１２，１３によって形成されるとともに、それぞれ、長手部１０，１１の伸長部１６，１７に一体的に形成されてそれらの伸長部を超えて横方向に突出する。さらに図２から認識されるように、ウェブ状の連結部１４は蛇行長手方向縁部１２によって境界されるとともに、ウェブ状の連結部１５は蛇行長手方向縁部１３によって境界される。
【００３７】
区画ウェブ３の最終形状を形成するように、２つの長手部１０，１１は材料ストリップ部６の長手方向範囲に対して横方向に、２つの矢印１８，１９に従い、図３に示す配置をとるまで引き離される。この位置では、長手部１０，１１の長手方向に延在する連結部１４，１５の連結端２０，２１が、破線で示されるとともに長手部１０，１１の長手方向に同様に延在する直線２２上に位置する。
【００３８】
図４に従い、次のステップでは、２つの長手部１０，１１は、その長手方向の矢印２５，２６に従って、対応する連結部１４が連結部１５に対向する位置にくるまで互いに関してずらされる。その位置では、結果的に対応する連結端２０が図４に示すように連結端２１と接触する。
【００３９】
次いで、長手部１０，１１は、相互に接触する連結端２０，２１に沿って、例えばレーザ溶接により互いに溶接され、それにより開口部５を有する区画ウェブ３の最終形状が形成される。
【００４０】
より明瞭にするために、以下の更なる実施例の記載における同一もしくは同様の要素には、図１〜４に用いたのと同様の参照符号を用いる。
【００４１】
図５の実施例は、蛇行スリット９によりＴ字状の連結部２３，２４が形成される点においてのみ、前述の実施例と異なる。
【００４２】
区画ウェブ３の最終形状を形成するように、この実施例では、２つの長手部１０，１１が図６に示すように矢印１８，１９に従い長手方向範囲に対して横方向に引き離される。この状態では、Ｔ字状の連結部２３，２４の連結端２０，２１が次いで直線上に配置されて例えばレーザ溶接により溶接され、連結端２０，２１に沿って区画ウェブ３および開口部５を形成する。第１の実施例とは対照的にこの実施例では、開口部５は長手方向に互いに前後に配置されるのではなく、図６から認識されるように互い違いに配置される。連結部２３，２４のＴ字状の構成により、長手部１０，１１の長手方向に対して横方向に引き離された後の連結端２０，２１は既に少なくとも部分的に互いに接触しており、この状態においても前述の連結が既に確立される。
【００４３】
一方、更なる方法ステップでは、２つの長手部１０，１１は、矢印２５，２６に従って、図７に示す位置に達するまで長手方向にさらにずらすことも可能である。この位置では、連結端２０，２１は互いに完全に接触し、例えばレーザ溶接により互いに溶接されて、区画ウェブ３を形成する。この変形例では、開口部５は次いで長手方向に互いに前後に設けられるように配置されるとともに蛇行長手方向縁部１２，１３によって形成されたＨ字状の設計を有する。通常、まず２つの長手部１０，１１を互いに関して長手方向にずらし、次いで図７に示す位置に達するまで長手方向に対して横方向にずらすことも可能である。また概ね斜めに配置することも可能である。
【００４４】
更なる実施例では、図２〜３の長手部１０，１１が、互いに離間して配置された図８に示す位置に達するまで矢印１８，１９に従ってさらに引き離される。この状態では、図９に示すように、細長い帯状の要素の形態を有する追加の中間要素２７が２つの長手部１０，１１の間に挿入される。図９から認識されるように、中間要素２７は長手部１０，１１の長手方向範囲に平行に延在するとともに連結部１４，１５の連結端２０，２１と接触する長手方向縁部２８，２９を有する。区画ウェブ３の最終形状を形成するように、連結端２０，２１は次いで中間要素２７の長手方向縁部２８，２９に例えば溶接により連結される。それにより、同時に、区画ウェブ３の長手方向に互い違いに配置された開口部５が形成される。
【００４５】
図７に関して既に述べたのと同様に、この実施例の長手部１０，１１は、矢印２５，２６に従って、図１０に示す位置に達するまで互いに関して長手方向にさらに追加的にずらすこともできる。この位置では、長手部１０，１１の対応する連結部１４，１５は互いに対向する側に配置されるのに対し、図９の実施例では区画ウェブの長手方向に互い違いに配置される。
【００４６】
次いで連結部１４，１５の連結端２０，２１が、例えば溶接により、中間要素２７の長手方向縁部２８，２９に連結されて、区画部品要素３の最終形状および開口部５が形成される。
【００４７】
図８〜１０では、各場合におけるウェブ状の連結部１４，１５を有する長手部１０，１１を参照しながら、中間要素２７を介した長手部１０，１１の連結部について述べたが、連結部は、例えば図５〜７の連結部２３，２４のＴ字状の設計などの、その他の適切な形状も有することができる。さらに、全ての実施例では、中間要素２７を有する連結部１４，１５および連結部２３，２４の間の連結を、それぞれ、それらの縁部２０，２１および縁部２８，２９の連結として記載した。しかしながら、例えば、クリンチングもしくはクリンピングなどの圧縮接合処理、クランピング、絞り、プレス、溶接、ねじ留め、ボンド接合、リベット締め、折り曲げ、もしくはプラグ接続により、中間要素と部分的に重なった連結部およびそれに対応する面接続をそれらの間に形成することも通常可能である。
【００４８】
ウェブ２７と連結部１４との間の対応する面の折り曲げ連結を図１１の例を用いて詳細な図に切り離して示す。
【００４９】
本発明により図１０のみに示す補強ビード部３０が材料部６に形成される。それらの補強ビード部３０は連結部内に形成される、もしくは連結部へと延在する。区画ウェブ３の長手方向に対して横方向のプロファイルにより、有利な補強が実現される。図１０に示すように、材料部６の長手方向に延在するとともに補強ビード部３０と連通する、対応する補強ビード部３１が長手方向縁部７，８の領域にも形成される。この点において補強ビード部３０は、長手方向に延在する補強ビード部３１からその反対側に配置された補強ビード部３１へと延在して、図４および図１０の下側の領域に破線で示すように、補強ビード部が互いに連結して、それらの補強ビード部により開口部５が完全に包囲される。この点において補強ビード部３１は溶接部を付加的に補強するように溶接部を超えて延在する。たとえ明確に図示されていなくても対応する補強ビード部は全ての実施例に設けられる。
【００５０】
中間要素２７は、間が途切れることなく形成されてもよく、もしくは図示しない開口部とともに形成されてもよい。それらの開口部は、例えば穴あけされた部分によって実現される。中間要素２７は有利には開口部を備えてもよく、対応する伸ばし工程によって広げられてもよい。さらに、例えば打ち出し部もしくは補強ビード部の形態の補強要素も同様に中間要素２７内に形成される。
【００５１】
図１２の実施例は、図に示すように、２つの長手部１０，１１が、材料ストリップ部６の長手方向範囲に対して横方向に、連結部１４，１５が依然としてくしのように互いに係合する程度に引き離されている点で、図２〜４の実施例とは異なる。この位置では、互いに端と端を接した連結部１４，１５の縁部は互いに突合せ溶接された連結端２０，２１を形成する。
【００５２】
図１３は、２つの外側に配置された長手部３２がそれらの間に配置された帯状の中間要素３３に互いに差し込まれた基部として形成される、区画部品要素を示す。中間要素３３は２つの二重層の外側領域３５に隣接する単層の中央領域３４を有する。それらの外側領域は、断面においてＵ字状に形成されるとともに、長手部３２の連結部５５が差し込まれてこれをクランプ状に保持する受容部３６を形成する。この点において長手部３２は、金属、特にアルミニウムから形成されるのに対し、中間要素３３は好ましくはプラスチックから形成され、特に射出成形部品もしくは連続的な押し出し形材として形成される。
【００５３】
図１４の実施例では、連結部が六角形の連結部３７，３８として形成される。六角形の連結部３７，３８は、それぞれ、六角形の領域３９を含むとともに、それに隣接して伸長部１６，１７に連結された台形領域４０を含む。連結端２０，２１は六角形の領域３９の斜めに延在する縁部として形成され、特に材料ストリップ部６の長手方向範囲に対して４５°の角度で延在する。連結端２０，２１と、それに隣接する六角形の領域３９の縁部４１とは、それぞれ、９０°の角度を有し、開口部５の対応する角度α、βもまた９０°に形成される。
【００５４】
連結端２０，２１は互いに端と端を接し、図１２の実施例に類似して、互いに突合せ溶接、特にレーザ溶接される。
【００５５】
図１５の実施例では、連結部は三角形の連結部４５，４６として形成される。三角形の連結部４５，４６を形成するように、鋸歯状のスリットが材料ストリップ６に設けられ、それにより蛇行長手方向縁部１２，１３が形成される。次いで、２つの矢印４９，５０に従い２つの長手部１０，１１が材料ストリップ部６の長手方向の範囲に対して斜めに引き離される。この点において２つの長手部１０，１１の移動方向は、実質的に蛇行長手方向縁部１２，１３の２つのフランク５１，５２に平行に延在する。この点について、２つの長手部１０，１１は、フランク５１，５２が依然として互いに部分的に接触する程度に引き離され、それにより連結端２０，２１が形成される。次いで、図１２，１３に関して述べたように、それらが互いに突合せ溶接される。
【００５６】
次に図１６に示す実施例は、それぞれ、その下底側で伸長部１６，１７に連結された台形の連結部４７，４８を含む。２つの長手部１０，１１は、図１５に関して述べたのと同様に、２つの矢印５３，５４に従って、材料ストリップ部６の長手方向範囲に対して斜めかつ台形部４７，４８の周縁部に対して実質的に平行に引き離されて、図１６に示す位置に達する。この位置では、台形部４７，４８の周縁部は依然として互いに部分的に接触しており、それにより連結端２０，２１が形成される。次いで、図１２，１３に関して述べたように、それらが互いに突合せ溶接される。
【００５７】
図１７は、垂直レール部４３が図１２の実施例に従って製造された区画部品により形成された、フレーム４２の構造を示す。一方、水平レール部４４は、図１４の実施例による一例として形成される。いずれの場合にも、これを図１７の上の領域に概略的に示す。当然のことながら垂直レール部４３および水平レール部４４の両方とも、本発明に記載の他の実施例によって形成してもよい。
【００５８】
図１８は、開口部５が、区画ウェブ３のみに形成されるのではなく、代替的にもしくは付加的に区画リム４の片側もしくは両側に形成されてもよいことを概略的に示す。図１９は、開口部５がプロファイルウェブ３から外縁７，８を超えて区画リム４へと延在しうることをさらに概略的に示す。加えて、開口部５は、区画ウェブ３内に完全に配置され、かつ／または、区画リム４の片側もしくは両側に配置されるように設けられてもよい。これらの開口部５の異なる配置は本発明の全ての実施例に提供される。
【００５９】
図２０は本発明の更に可能な複数の実施例を示す。いずれの場合にも、最も多様なデザインの蛇行スロットが設けられた材料ストリップ部６を示し、次いで材料ストリップ部６の２つの長手部が材料ストリップ部６の長手方向範囲に対して横方向に引き離されており、一部の例では、付加的に互いに関して長手方向の範囲にずらされている。それにより生じた開口部５をそれぞれ斜線で示す。全ての実施例では、いずれの場合にも図中に太線で示した連結端２０，２１は蛇行長手方向縁部の部位により形成される。前述の実施例に関して既に説明したように、２つの長手部１０，１１はそれぞれ連結端２０，２１を介して互いに突合せ溶接される。開口部５は、例えばダイヤモンド形の形状、旗形の形状、八角形の形状、もしくはそれ以外の図示の幾何学的形状を有する。図示のように、形状に応じて２つの長手部１０，１１はその長手方向範囲に対して横方向に引き離される方向にアンダーカットを形成し、長手部１０，１１の間の連結をさらに補強する。
【００６０】
図２１では、２つの実質的に等しく厚い、平坦な材料ストリップ部６，６´が互いの上に横になるように配置される。均等の蛇行スリット９が材料ストリップ部６，６´の両方に設けられ、それにより材料ストリップ部６，６´が、それぞれ、２つの長手部１０，１１および１０´，１１´に分割される。前述の実施例とは対照的に、この実施例では、区画部品要素１は、本来連続した長手部１０，１１、もしくは長手部１０´，１１´の各々によって形成されるのではなく、２つの区画部品要素が形成され、そのうちの一方は長手部１０，１０´であり、もう一方は長手部１１，１１´である。
【００６１】
このため、蛇行スリット９の形成後、互いの上に横になるように配置された長手部１０，１０´は、互いに独立した区画部品要素を一緒に形成するようにそれぞれ他の長手部１１，１１´から分離される。
【００６２】
図２２，２３では、長手部１１，１１´を有する区画部品要素１の製造を例示の目的で示す。互いの上に横になるように配置された長手部１１，１１´が長手方向に延在する連結端５７で互いに溶接されて、連結端５７の端面５８に沿って延在する溶接線５９が形成される。次いで、図２２の矢印６０によって示されるように、長手部１１，１１´が展開（ｆｏｌｄｅｄ  ａｐａｒｔ）される。そのため、長手部１１は、例えば、図２３の位置に合わせられるまで、矢印６０に従って連結端５７を中心として約１８０°展開される。この位置では、長手部１１，１１´は実質的に共通の平面上にある。
【００６３】
相互に連結された連結端５７が展開によって折り返されて（ｂｅｎｔ  ｏｖｅｒ）、折曲合端部５６を形成し、その合端を介して長手部１１，１１´が互いに端と端を接するように連結される。同時に、展開により、材料損失を伴うことなく蛇行長手方向端部１２，１３の一部の間に開口部５が形成される。
【００６４】
また折曲合端部５６の間の連結は、概ね重複溶接、折り曲げ、接着、クリンチング、リベット締め、もしくはクランピングなどの、他種の連結によってももたらされる。さらに、長手部の展開は、区画部品要素が最終的に有する形状により、１８０°とは異なる角度、特にそれよりも小さいもしくは大きい角度で行われる。展開（ｆｏｌｄｉｎｇ  ｏｐｅｎ）による区画部品要素の製造は、確かに、ウェブ状の連結部１４，１５に関連してのみ明確に述べているが、連結される連結端が材料ストリップ部の長手方向に延在している限り、本発明の範囲内で述べたその他の連結部に対してもこの製造法は可能である。
【符号の説明】
【００６５】
１…区画部品要素
２…区画本体
３…区画ウェブ
４…区画リム
５…開口部
６，６´…材料ストリップ部
７…外縁
８…外縁
９…蛇行スリット
１０，１０´…長手部
１１，１１´…長手部
１２…蛇行長手方向縁部
１３…蛇行長手方向縁部
１４…ウェブ状連結部
１５…ウェブ状連結部
１６…伸長部
１７…伸長部
１８…矢印
１９…矢印
２０…連結端
２１…連結端
２２…直線
２３…Ｔ字状の連結部
２４…Ｔ字状の連結部
２５…矢印
２６…矢印
２７…中間要素
２８…長手方向縁部
２９…長手方向縁部
３０…補強ビード部
３１…補強ビード部
３２…長手部
３３…中間要素
３４…中央領域
３５…外側領域
３６…直線
３７…六角形の連結部
３８…六角形の連結部
３９…六角形の領域
４０…台形領域
４１…縁部
４２…フレーム
４３…垂直レール部
４４…水平レール部
４５…三角形の連結部
４６…三角形の連結部
４７…台形の連結部
４８…台形の連結部
４９…矢印
５０…矢印
５１…フランク
５２…フランク
５３…矢印
５４…矢印
５５…連結部
５６…折曲合端部
５７…連結端
５８…端面
５９…溶接線
６０…矢印
【図１】
0005997608.tif 000002
【図２】
0005997608.tif 000003
【図３】
0005997608.tif 000004
【図４】
0005997608.tif 000005
【図５】
0005997608.tif 000006
【図６】
0005997608.tif 000007
【図７】
0005997608.tif 000008
【図８】
0005997608.tif 000009
【図９】
0005997608.tif 000010
【図１０】
0005997608.tif 000011
【図１１】
0005997608.tif 000012
【図１２】
0005997608.tif 000013
【図１３】
0005997608.tif 000014
【図１４】
0005997608.tif 000015
【図１５】
0005997608.tif 000016
【図１６】
0005997608.tif 000017
【図１７】
0005997608.tif 000018
【図１８】
0005997608.tif 000019
【図１９】
0005997608.tif 000020
【図２０】
0005997608.tif 000021
【図２１】
0005997608.tif 000022
【図２２】
0005997608.tif 000023
【図２３】
0005997608.tif 000024